(57)【要約】【課題】加熱室内に蒸気を供給して高周波加熱を行うと共に、赤外線センサにより被加熱物の加熱温度を正確に検出することのできる高周波加熱装置の加熱制御方法及び高周波加熱装置を提供する。【解決手段】赤外線センサ２０により被加熱物Ｍの温度を測定して加熱状態を監視する高周波加熱装置１００の加熱制御方法であって、加熱室１１への蒸気供給と高周波による低出力加熱を行う初期加湿時に、赤外線センサ２０により被加熱物Ｍの温度を複数回測定し、被加熱物Ｍの加熱時間に対する温度上昇率を求め、初期加湿終了後に、加熱室１１への蒸気の供給を停止すると共に、温度上昇率から推定される被加熱物Ｍの分量に応じた加熱条件により高周波本加熱を行い、高周波本加熱中に赤外線センサ２０が被加熱物Ｍの指定された仕上がり温度を検出したときに、高周波本加熱を停止する。【選択図】　　図１
2004011994.tif 000002
【特許請求の範囲】
【請求項１】
入力された加熱条件に基づいて、被加熱物を収容する加熱室に高周波と蒸気との少なくともいずれかを供給して前記加熱物を加熱処理する一方、赤外線センサにより前記被加熱物の温度を測定して加熱状態を監視する高周波加熱装置の加熱制御方法であって、
前記加熱室への蒸気供給と高周波による低出力加熱を行う初期加湿時に、前記赤外線センサにより被加熱物の温度を複数回測定し、被加熱物の加熱時間に対する温度上昇率を求め、
前記初期加湿終了後に、前記加熱室への蒸気の供給を停止すると共に、前記温度上昇率から推定される被加熱物の分量に応じた加熱条件により高周波本加熱を行い、
前記高周波本加熱中に前記赤外線センサが被加熱物の指定された仕上がり温度を検出したときに、前記高周波本加熱を停止することを特徴とする高周波加熱装置の加熱制御方法。
【請求項２】
前記初期加湿の実施時間を、被加熱物の分量が多いときに長く、少ないときに短く設定することを特徴とする請求項１記載の高周波加熱装置の加熱制御方法。
【請求項３】
前記初期加湿時に前記赤外線センサによる温度測定結果から被加熱物が冷凍品か常温品であるかを識別し、冷凍品である場合は常温品である場合より前記高周波本加熱時の加熱を強く設定することを特徴とする請求項１又は請求項２記載の高周波加熱装置の加熱制御方法。
【請求項４】
前記赤外線センサが仕上がり温度を検出したときに、
（１）被加熱物の加熱による温度ムラが所定の許容値を超過した場合
（２）被加熱物が冷凍品である場合
（３）被加熱物の分量が規定の所定量を超過した場合
のうち、少なくともいずれかの場合に、前記加熱室へ蒸気を所定時間追加供給することを特徴とする請求項１〜請求項３のいずれか１項記載の高周波加熱装置の加熱制御方法。
【請求項５】
前記蒸気を追加供給する時間を、前記高周波本加熱の加熱時間に比例して設定することを特徴とする請求項４記載の高周波加熱装置の加熱制御方法。
【請求項６】
前記加熱室へ蒸気を追加供給するときに、高周波による低出力加熱を併せて行うことを特徴とする請求項４又は請求項５記載の高周波加熱装置の加熱制御方法。
【請求項７】
前記高周波本加熱時に、循環ファンによる加熱室内の空気の撹拌を同時に行うことを特徴とする請求項１〜請求項６のいずれか１項記載の高周波加熱装置の加熱制御方法。
【請求項８】
前記初期加湿時に、循環ファンによる加熱室内の空気の撹拌を同時に行うことを特徴とする請求項１〜請求項７のいずれか１項記載の高周波加熱装置の加熱制御方法。
【請求項９】
被加熱物の分量に応じた最大加熱時間を設定し、加熱開始後からの経過時間が前記最大加熱時間に到達したとき、加熱処理を強制終了させることを特徴とする請求項１〜請求項８のいずれか１項記載の高周波加熱装置の加熱制御方法。
【請求項１０】
入力された加熱条件に基づいて、被加熱物を収容する加熱室に高周波と蒸気との少なくともいずれかを供給して前記加熱物を加熱処理する一方、赤外線センサにより前記被加熱物の温度を測定して加熱状態を監視する高周波加熱装置の加熱制御方法であって、
前記赤外線センサによる被加熱物の温度測定を、加熱開始後の予め設定された測定時間内に行うことを特徴とする高周波加熱装置の加熱制御方法。
【請求項１１】
前記加熱室の容量、蒸気発生用に供給する水の量、該水を加熱する加熱源の出力値のうち少なくともいずれかに応じて変化する前記赤外線センサの温度測定限界時間を求め、前記求めた温度測定限界時間をそれぞれテーブルへ登録しておき、該テーブルを参照することで前記測定時間を設定することを特徴とする請求項１０記載の高周波加熱装置の制御方法。
【請求項１２】
入力された加熱条件に基づいて、被加熱物を収容する加熱室に高周波と蒸気との少なくともいずれかを供給して前記加熱物を加熱処理する一方、赤外線センサにより前記被加熱物の温度を測定して加熱状態を監視する高周波加熱装置の加熱制御方法であって、
前記加熱室内の蒸気濃度が赤外線センサによる被加熱物の温度検出可能範囲を超えたときに、前記赤外線センサによる温度測定を停止又は測定温度を無効とし、前記蒸気濃度が前記温度検出可能範囲内に低下した後に、前記赤外線センサによる温度測定を開始又は測定温度を有効として、被加熱物の温度を測定することを特徴とする高周波加熱装置の加熱制御方法。
【請求項１３】
前記温度検出可能範囲に低下するまでの調整時間を加熱室内の各種条件に応じてそれぞれ求め、前記求めた調整時間をそれぞれテーブルへ登録しておき、該テーブルを参照することで前記調整時間を設定することを特徴とする請求項１２記載の高周波加熱装置の加熱制御方法。
【請求項１４】
被加熱物を収容する加熱室に高周波を供給する高周波発生部と、
前記加熱室内に蒸気を供給する蒸気発生部と、
前記加熱室の壁面に設けた検出用孔を通して加熱室内の温度を検出する赤外線センサと、
前記請求項１〜６、請求項９〜１３のいずれか１項記載の高周波加熱装置の加熱制御方法に基づいて制御する制御部とを備えたことを特徴とする高周波加熱装置。
【請求項１５】
被加熱物を収容する加熱室に高周波を供給する高周波発生部と、
前記加熱室内に蒸気を供給する蒸気発生部と、
前記加熱室内の空気を撹拌する循環ファンと、
前記加熱室の壁面に設けた検出用孔を通して加熱室内の温度を検出する赤外線センサと、
前記請求項７又は請求項８記載の高周波加熱装置の加熱制御方法に基づいて制御する制御部とを備えたことを特徴とする高周波加熱装置。
【請求項１６】
前記蒸気発生部が、前記赤外線センサの温度検出範囲から実質的に外れた位置に配設されていることを特徴とする請求項１４又は請求項１５記載の高周波加熱装置。
【発明の詳細な説明】
【０００１】
【発明の属する技術分野】
本発明は、高周波加熱と蒸気加熱とを組み合わせて被加熱物を加熱処理する蒸気発生機能付き高周波加熱装置の加熱制御方法、及び高周波加熱装置に関するものである。
【０００２】
【従来技術】
従来、食品等の被加熱物を加熱する際には、まず加熱室内に被加熱物を載置して、高周波加熱のスイッチを押下することで加熱開始し、指定された所定時間或いは被加熱物が所定仕上がり温度となったときに加熱停止した後、被加熱物を取り出していた。しかし、加熱されるにつれ蒸気を発生する被加熱物に対しては、高周波加熱によって水分が奪われて、被加熱物表面が乾燥したり固くなったりする。そこで、高周波加熱による水分量の減少を抑えるために、例えば被加熱物をラップ（食品包装用の薄いフィルム）で包み、蒸気が逃げないようにして加熱処理している。
また、加熱時間や高周波加熱の出力値等の加熱条件は、例えば被加熱物の重量を検出して、その重量に見合った加熱量に制御したり、加熱中の被加熱物の温度を赤外線センサにより逐一検出して、過加熱を防止した制御を行っている。
【０００３】
【発明が解決しようとする課題】
しかしながら、被加熱物を加熱の度にラップで包むことは操作者にとって面倒であり、また、加熱終了時にラップを取り外すことも被加熱物が高温になっている点から注意を要し、加熱作業が煩わしいものとなっていた。そこで、高周波加熱機能に加えて蒸気発生機能を付加した高周波加熱装置が種々検討されている。このような蒸気発生機能付き高周波加熱装置によれば、加熱室内を蒸気で充満させて高周波加熱を行うことで、被加熱物の水分を奪うことなく加熱できるが、その一方で、蒸気が加熱室内に充満すると、赤外線センサはこの充満した蒸気粒子の温度を測定するようになり、食品の温度が正確に検出できなくなってしまうという問題があった。
【０００４】
また、ターンテーブル式の高周波加熱装置では、ターンテーブルの回転軸に重量センサを取り付けて被加熱物の重量を測定し、被加熱物の重量に応じた最適な加熱処理を施していた。一方、加熱室内を広く有効に使用することを目的に、マグネトロンにより発生させた高周波を回転駆動されるスタラー羽根に照射することで加熱室内へ拡散供給する方式がある。この方式では、被加熱物を直接加熱室底面に載置するため、ターンテーブル式のような重量センサを取り付けることができず、従って、被加熱物の分量を直接測定することができないという問題を生じていた。
【０００５】
本発明は、このような状況に鑑みてなされたもので、加熱室内に蒸気を供給して高周波加熱を行うと共に、赤外線センサにより被加熱物の加熱温度を正確に検出することのできる高周波加熱装置の加熱制御方法及び高周波加熱装置を提供することを目的とする。
【０００６】
【発明が解決しようとする手段】
上記目的達成のため、本発明に係る請求項１記載の高周波加熱装置の加熱制御方法は、入力された加熱条件に基づいて、被加熱物を収容する加熱室に高周波と蒸気との少なくともいずれかを供給して前記加熱物を加熱処理する一方、赤外線センサにより前記被加熱物の温度を測定して加熱状態を監視する高周波加熱装置の加熱制御方法であって、前記加熱室への蒸気供給と高周波による低出力加熱を行う初期加湿時に、前記赤外線センサにより被加熱物の温度を複数回測定し、被加熱物の加熱時間に対する温度上昇率を求め、前記初期加湿終了後に、前記加熱室への蒸気の供給を停止すると共に、前記温度上昇率から推定される被加熱物の分量に応じた加熱条件により高周波本加熱を行い、前記高周波本加熱中に前記赤外線センサが被加熱物の指定された仕上がり温度を検出したときに、前記高周波本加熱を停止することを特徴とする。
【０００７】
この高周波加熱装置の加熱制御方法では、加熱室への蒸気供給と高周波による低出力加熱を行い、加熱室内の蒸気濃度を赤外線センサによる被加熱物の温度検出が可能な範囲内で上昇させ、被加熱物の昇温を赤外線センサにより検出して、被加熱物の初期温度を求めると共に、複数回の温度測定によって被加熱物の温度上昇率を求める。この温度上昇率から被加熱物の分量を推定し、推定された分量に応じて高周波加熱出力値等の加熱条件を設定して高周波本加熱を行う。このときに、加熱室への蒸気供給を停止することで、加熱室内の蒸気濃度が必要以上に増大することを抑制して、高周波本加熱時においても赤外線センサによる被加熱物の温度検出が可能な蒸気濃度に留める。また、蒸気供給の停止により、高周波本加熱の出力に装置の略最大出力まで費やすことが可能となり、高周波本加熱の出力可変レンジが拡大される。そして、赤外線センサが被加熱物の仕上がり温度を検出したときに高周波本加熱を停止させる。このように、加熱室内が低い蒸気濃度であるうちに温度測定を行い、且つ、高周波本加熱中は蒸気発生を停止させて蒸気濃度を低下させることで、温度測定を行うときに、加熱室内が蒸気濃度の低い状況となるように制御することで、赤外線センサによる被加熱物の温度測定が正確に行えると共に、被加熱物から水分を奪うことなく加熱することが可能となる。
【０００８】
請求項２記載の高周波加熱装置の加熱制御方法は、前記初期加湿の実施時間を、被加熱物の分量が多いときに長く、少ないときに短く設定することを特徴とする。
【０００９】
この高周波加熱装置の加熱制御方法では、被加熱物の分量が多いときに加湿を長くすることで、必要十分な水分が加熱室内に供給され、被加熱物が加熱時に乾燥することがなくなる。また、分量が少ないときに加湿を短くすることで、加熱室内の蒸気濃度を必要以上に大きくすることが防止され、また、無駄な加熱時間を削減できるため、効率よく加熱処理が行える。
【００１０】
請求項３記載の高周波加熱装置の加熱制御方法は、前記初期加湿時に前記赤外線センサによる温度測定結果から被加熱物が冷凍品か常温品であるかを識別し、冷凍品である場合は常温品である場合より前記高周波本加熱時の加熱を強く設定することを特徴とする。
【００１１】
この高周波加熱装置の加熱制御方法では、被加熱物が冷凍品である場合に、常温品に対してより強い加熱に設定することにより、被加熱物の種類に応じた加熱処理が行え、加熱不足や過加熱の発生を未然に防止できる。従って、冷凍品・常温品の区別なく適切な加熱処理を行えるようになる。
【００１２】
請求項４記載の高周波加熱装置の加熱制御方法は、前記赤外線センサが仕上がり温度を検出したときに、
（１）被加熱物の加熱による温度ムラが所定の許容値を超過した場合
（２）被加熱物が冷凍品である場合
（３）被加熱物の分量が規定の所定量を超過した場合
のうち、少なくともいずれかの場合に、前記加熱室へ蒸気を所定時間追加供給することを特徴とする。
【００１３】
この高周波加熱装置の加熱制御方法では、被加熱物の加熱が不十分である場合に、仕上がり温度の検出加熱室内へ蒸気を追加供給することで、仕上がり状態を良好なものとし、また、高周波本加熱により水分が蒸発した場合に、その水分を補うことができる。
【００１４】
請求項５記載の高周波加熱装置の加熱制御方法は、前記蒸気を追加供給する時間を、前記高周波本加熱の加熱時間に比例して設定することを特徴とする。
【００１５】
この高周波加熱装置の加熱制御方法では、高周波本加熱の時間が短い場合には、蒸気の追加供給時間を短く、高周波本加熱の時間が長い場合には、蒸気の追加供給時間を長く設定する。これにより、加熱条件に応じた適度な加湿を施すことができる。
【００１６】
請求項６記載の高周波加熱装置の加熱制御方法は、前記加熱室へ蒸気を追加供給するときに、高周波による低出力加熱を併せて行うことを特徴とする。
【００１７】
この高周波加熱装置の加熱制御方法では、蒸気供給に合わせて高周波加熱を行うことで、被加熱物の内部からも加熱が進み、被加熱物全体を温度ムラの少ない均等な温度分布にすることができる。
【００１８】
請求項７記載の高周波加熱装置の加熱制御方法は、前記高周波本加熱時に、循環ファンによる加熱室内の空気の撹拌を同時に行うことを特徴とする。
【００１９】
この高周波加熱装置の加熱制御方法では、高周波本加熱時には蒸気の供給を停止した状態で加熱室内の空気の撹拌を行うことで、被加熱物に蒸気を吹き当てて加湿及び加熱効果を均等化させると共に、加熱室内に充満する蒸気を加熱室の壁面等に結露させて徐々に蒸気濃度を低下させ、赤外線センサによる温度測定が正確に行われる蒸気濃度範囲にいち早くすることができる。
【００２０】
請求項８記載の高周波加熱装置の加熱制御方法は、前記初期加湿時に、循環ファンによる加熱室内の空気の撹拌を同時に行うことを特徴とする。
【００２１】
この高周波加熱装置の加熱制御方法では、初期加湿時に加熱室内の空気の撹拌を行うことで、装置の連続使用時に加熱室内に蒸気が充満していても、蒸気が撹拌されて赤外線センサによる温度測定が正確に行われる。
【００２２】
請求項９記載の高周波加熱装置の加熱制御方法は、被加熱物の分量に応じた最大加熱時間を設定し、加熱開始後からの経過時間が前記最大加熱時間に到達したとき、加熱処理を強制終了させることを特徴とする。
【００２３】
この高周波加熱装置の加熱制御方法では、被加熱物の分量に応じた最大加熱時間の経過時に加熱処理を強制終了させることにより、装置動作の異常時における被加熱物や装置自体の過加熱が防止され、これにより高周波加熱装置の安全性を維持できる。
【００２４】
請求項１０記載の高周波加熱装置の加熱制御方法は、入力された加熱条件に基づいて、被加熱物を収容する加熱室に高周波と蒸気との少なくともいずれかを供給して前記加熱物を加熱処理する一方、赤外線センサにより前記被加熱物の温度を測定して加熱状態を監視する高周波加熱装置の加熱制御方法であって、前記赤外線センサによる被加熱物の温度測定を、加熱開始後の予め設定された測定時間内に行うことを特徴とする。
【００２５】
この高周波加熱装置の加熱制御方法では、赤外線センサによる被加熱物の温度測定を、加熱開始後の加熱室内の蒸気濃度が比較的低い状態にある予め設定された測定時間内に行うことで、被加熱物の温度をより正確に測定することができる。
【００２６】
請求項１１記載の高周波加熱装置の加熱制御方法は、前記加熱室の容量、蒸気発生用に供給する水の量、該水を加熱する加熱源の出力値のうち少なくともいずれかに応じて変化する前記赤外線センサの温度測定限界時間を求め、前記求めた温度測定限界時間をそれぞれテーブルへ登録しておき、該テーブルを参照することで前記測定時間を設定することを特徴とする。
【００２７】
この高周波加熱装置の制御方法では、各条件に応じて変化する温度測定限界時間を各種条件毎に予め求めたテーブルを参照することで、測定時間を設定するので、加熱条件に応じた時間内に温度測定を終了させることができ、蒸気に影響されない温度検出を一層確実に実施できる。
【００２８】
請求項１２記載の高周波加熱装置の加熱制御方法は、入力された加熱条件に基づいて、被加熱物を収容する加熱室に高周波と蒸気との少なくともいずれかを供給して前記加熱物を加熱処理する一方、赤外線センサにより前記被加熱物の温度を測定して加熱状態を監視する高周波加熱装置の加熱制御方法であって、前記加熱室内の蒸気濃度が赤外線センサによる被加熱物の温度検出可能範囲を超えたときに、前記赤外線センサによる温度測定を停止又は測定温度を無効とし、前記蒸気濃度が前記温度検出可能範囲内に低下した後に、前記赤外線センサによる温度測定を開始又は測定温度を有効として、被加熱物の温度を測定することを特徴とする。
【００２９】
この高周波加熱装置の加熱制御方法では、蒸気の供給によって加熱室内の蒸気濃度が赤外線センサによる被加熱物の温度検出可能範囲を超えたときに、赤外線センサによる温度測定を停止又は測定温度を無効とし、蒸気濃度が温度検出可能範囲内に低下した後に、赤外線センサによる温度測定を開始又は測定温度を有効とすることで、加熱室内の蒸気に影響されることなく被加熱物の温度を正確に測定できる。
【００３０】
請求項１３記載の高周波加熱装置の加熱制御方法は、前記温度検出可能範囲に低下するまでの調整時間を加熱室内の各種条件に応じてそれぞれ求め、前記求めた調整時間をそれぞれテーブルへ登録しておき、該テーブルを参照することで前記調整時間を設定することを特徴とする。
【００３１】
この高周波加熱装置の加熱制御方法では、風量等の加熱室内の条件に応じて変化する調整時間を各種条件毎に予め求めたテーブルを参照することで、調整時間を設定するため、加熱条件に応じた調整時間の経過後に温度測定を行うことができ、蒸気に影響されない温度検出を一層確実に実施できる。
【００３２】
請求項１４記載の高周波加熱装置は、被加熱物を収容する加熱室に高周波を供給する高周波発生部と、前記加熱室内に蒸気を供給する蒸気発生部と、前記加熱室の壁面に設けた検出用孔を通して加熱室内の温度を検出する赤外線センサと、前記請求項１〜６、請求項９〜１３のいずれか１項記載の高周波加熱装置の加熱制御方法に基づいて制御する制御部とを備えたことを特徴とする。
【００３３】
この高周波加熱装置では、高周波発生部と、蒸気発生部と、赤外線センサとを制御部により統括制御することにより、前述の加熱制御方法を実現することができる。以て、加熱室内に蒸気を供給して高周波加熱を行うと共に、赤外線センサにより被加熱物の加熱温度を正確に検出することができる。
【００３４】
請求項１５記載の高周波加熱装置は、被加熱物を収容する加熱室に高周波を供給する高周波発生部と、前記加熱室内に蒸気を供給する蒸気発生部と、前記加熱室内の空気を撹拌する循環ファンと、前記加熱室の壁面に設けた検出用孔を通して加熱室内の温度を検出する赤外線センサと、前記請求項７又は請求項８記載の高周波加熱装置の加熱制御方法に基づいて制御する制御部とを備えたことを特徴とする。
【００３５】
この高周波加熱装置では、高周波発生部と、蒸気発生部と、循環ファンと、赤外線センサとを制御部により統括制御することにより、前述の加熱制御方法を実現することができる。以て、加熱室内に蒸気を供給して高周波加熱を行うと共に、赤外線センサにより被加熱物の加熱温度を正確に検出することができる。
【００３６】
請求項１６記載の高周波加熱装置は、前記蒸気発生部が、前記赤外線センサの温度検出範囲から実質的に外れた位置に配設されていることを特徴とする。
【００３７】
この高周波加熱装置では、蒸気発生部を赤外線検出範囲外の位置に配設することにより、高温となる蒸気発生部を加熱室内に設けた構成にも係わらず、加熱室内の被加熱物の温度測定に何ら支障を与えることがなくなる。
【００３８】
【発明の実施の形態】
以下、本発明に係る高周波加熱装置の加熱制御方法及び高周波加熱装置の好適な実施の形態について、図面を参照して説明する。
図１は第１実施形態の蒸気発生機能付き高周波加熱装置の開閉扉を開けた状態を示す正面図、図２はこの装置に用いられる蒸気発生部の蒸発皿を示す斜視図、図３は蒸気発生部の蒸発皿加熱ヒータと反射板を示す斜視図、図４は蒸気発生部の断面図である。
【００３９】
この蒸気発生機能付き高周波加熱装置１００は、被加熱物を収容する加熱室１１に、高周波（マイクロ波）と蒸気との少なくともいずれかを供給して被加熱物を加熱処理する加熱調理器であって、高周波を発生する高周波発生部としてのマグネトロン１３と、加熱室１１内で蒸気を発生する蒸気発生部１５と、加熱室１１内の空気を撹拌・循環させる循環ファン１７と、加熱室１１内を循環する空気を加熱する室内気加熱ヒータとしてのコンベクションヒータ１９と、加熱室１１の壁面に設けた検出用孔１８を通じて加熱室１１内の温度を検出する赤外線センサ２０とを備えている。
【００４０】
加熱室１１は、前面開放の箱形の本体ケース１０内部に形成されており、本体ケース１０の前面に、加熱室１１の被加熱物取出口を開閉する透光窓２１ａ付きの開閉扉２１が設けられている。開閉扉２１は、下端が本体ケース１０の下縁にヒンジ結合されることで開閉可能となっている。加熱室１１と本体ケース１０との壁面間には所定の断熱空間が確保されており、必要に応じてその空間には断熱材が装填されている。特に加熱室１１の背後の空間は、循環ファン１７及びその駆動モータ２３（図８参照）を収容した循環ファン室２５となっており、加熱室１１の後面の壁が、加熱室１１と循環ファン室２５とを画成する仕切板２７となっている。仕切板２７には、加熱室１１側から循環ファン室２５側への吸気を行う吸気用通風孔２９と、循環ファン室２５側から加熱室１１側への送風を行う送風用通風孔３１とが形成エリアを区別して設けられている。各通風孔２９，３１は、多数のパンチ孔として形成されている。
【００４１】
循環ファン１７は、矩形の仕切板２７の中央部に回転中心を位置させて配置されており、循環ファン室２５内には、この循環ファン１７を取り囲むようにして矩形環状のコンベクションヒータ１９が設けられている。そして、仕切板２７に形成された吸気用通風孔２９は循環ファン１７の前面に配置され、送風用通風孔３１は矩形環状のコンベクションヒータ１９に沿って配置されている。循環ファン１７を回すと、風は循環ファン１７の前面側から駆動モータ２３のある後面側に流れ、加熱室１１内の空気が、吸気用通風孔２９を通して循環ファン１７の中心部に吸い込まれ、循環ファン室２５内のコンベクションヒータ１９を通過して、送風用通風孔３１から加熱室１１内に送り出される。従って、この流れにより、加熱室１１内の空気が、撹拌されつつ循環ファン室２５を経由して循環されるようになっている。
【００４２】
マグネトロン１３は、例えば加熱室１１の下側の空間に配置されており、マグネトロンより発生した高周波を受ける位置には電波攪拌部としてのスタラー羽根３３が設けられている。そして、マグネトロン１３からの高周波を、回転するスタラー羽根３３に照射することにより、該スタラー羽根３３によって高周波を加熱室１１内に撹拌しながら供給するようになっている。なお、マグネトロン１３やスタラー羽根３３は、加熱室１１の底部に限らず、加熱室１１の上面や側面側に設けることもできる。
【００４３】
蒸気発生部１５は、例えば本体ケース１０内に設けられている水タンク１６から水を供給され、図２に示すように加熱により蒸気を発生する水溜凹所３５ａを有した蒸発皿３５と、蒸発皿３５の下側に配設され、図３及び図４に示すように蒸発皿３５を加熱する蒸発皿加熱ヒータ３７と、該ヒータの輻射熱を蒸発皿３５に向けて反射する断面略Ｕ字形の反射板３９とから構成されている。蒸発皿３５は、例えばステンレス製の細長板状のもので、加熱室１１の被加熱物取出口とは反対側の奥側底面に長手方向を仕切板２７に沿わせた向きで配設されている。なお、蒸発皿加熱ヒータ３７としては、ガラス管ヒータ、シーズヒータ、プレートヒータ等が利用できる。この蒸気発生部１５は、赤外線センサ２０の温度検出範囲外の位置に配設することで、高温となる蒸気発生部１５を加熱室１１内に設けたにも係わらず、赤外線センサ２０による加熱室１１内の被加熱物Ｍの温度測定に支障を与えることを防止している。
【００４４】
図５は蒸気発生機能付き高周波加熱装置１００を制御するための制御系のブロック図である。この制御系は、例えばマイクロプロセッサを備えてなる制御部５０１を中心に構成されている。制御部５０１は、主に、電源部５０３、記憶部５０５、入力操作部５０７、表示パネル５０９、加熱部５１１等との間で信号の授受を行っている。
【００４５】
入力操作部５０７には、加熱の開始を指示するスタートスイッチ５１９、高周波加熱や蒸気加熱等の加熱方法を切り替える切替スイッチ５２１、予め用意されているプログラムをスタートさせる自動調理スイッチ５２３等の種々の操作スイッチが接続されている。
加熱部５１１には、高周波発生部１３、蒸気発生部１５、循環ファン１７、赤外線センサ２０等が接続されている。また、高周波発生部１３は、電波撹拌部（スタラー羽根の駆動部）３３と協働して動作し、蒸気発生部１５には、蒸発皿加熱ヒータ３７、室内気加熱ヒータ１９（コンベクションヒータ）等が接続されている。
【００４６】
次に、本発明の高周波加熱装置の加熱制御方法について、図６のフローチャート、図７のタイムチャート及び高周波加熱装置内部の状態を示した図８を参照しながら説明する。
加熱開始前の前処理として、加熱条件入力工程Ｐ０により、まず、加熱しようとする被加熱物Ｍを皿等に載せて加熱室１１内に入れ、開閉扉２１を閉める。そして、加熱条件を入力操作部５０７により設定して、スタートスイッチをＯＮにする（ステップ１、以降はＳ１と略記する）。なお、ここでは、加熱条件としてスチーム加熱を選択した場合について説明する。
【００４７】
スタートスイッチがＯＮにされると、最初に予熱工程Ｐ１が開始される（Ｓ２）。この予熱工程Ｐ１は、主に蒸気発生部１５の蒸発皿加熱ヒータ３７により蒸発皿３５を加熱して蒸気発生の準備を行うものであって、制御部５０１の制御により、循環ファン１７をＯＮ、高周波加熱をＯＦＦ、蒸気発生部１５をＯＮに設定する。また、赤外線センサ２０を作動させて、被加熱物Ｍの温度を測定する。なお、高周波加熱装置１００の連続使用時等に、蒸発皿３５の温度に応じて、この予熱工程Ｐ１の時間を短縮できる。
【００４８】
具体的には、蒸気発生部１５をＯＮに設定することで、蒸発皿加熱ヒータ３７がＯＮにされて蒸発皿３５の水が加熱され、加熱室１１内で蒸気Ｓが発生する。また、循環ファン１７がＯＮに設定されることにより、蒸発皿３５から上昇する蒸気Ｓは、仕切板２７の略中央部に設けた吸気用通風孔２９から循環ファン１７の中心部に吸引され、循環ファン室２５を経由して、仕切板２７の周部に設けた送風用通風孔３１から、加熱室１１内へ向けて吹き出される。吹き出された蒸気は、加熱室１１内で撹拌されて、再度、仕切板２７の略中央部の吸気用通風孔２９から循環ファン室２５側に吸引される。これにより加熱室１１内と循環ファン室２５に循環経路が形成される。なお、仕切板２７の循環ファン１７の配置位置下方には送風用通風孔３１を設けずに、発生した蒸気を吸気用通風孔２９に導かれるようにしている。そして、図中白抜き矢印で示すように、蒸気が加熱室１１を循環することによって、被加熱物Ｍに蒸気が吹き付けられる。
なお、この予熱工程Ｐ１においては、まだ蒸気発生部１５がＯＮに設定されたばかりであり、加熱室１１内の蒸気濃度が低く、赤外線センサ２０による被加熱物Ｍの温度測定に何ら支障を与えることはない。
【００４９】
予熱工程Ｐ１を終了すると、次に被加熱物判別工程Ｐ２に移る（Ｓ３）。この被加熱物判別工程Ｐ２では、循環ファン１７は引き続きＯＮに、高周波加熱は低出力でＯＮに、蒸気発生部１５は引き続きＯＮに設定される。なお、高周波加熱を低出力に設定することは、例えば装置の最大出力が１０００Ｗである場合に、３００〜５００Ｗ程度の出力に設定することである。高周波加熱を低出力に設定することで、Ｐ２工程において小負荷の場合でも過加熱にならないようにできる。また、赤外線センサ２０は、常時被加熱物Ｍの温度を測定している。
【００５０】
被加熱物判別工程Ｐ２においては、加熱室１１内の蒸気濃度が増加して赤外線センサ２０による被加熱物Ｍの温度測定に支障が生じる前に、被加熱物Ｍの温度測定を済ませ、測定された温度データによって初期温度の判定を行うと共に被加熱物Ｍの温度上昇率ΔＴを算出する。
図９を参照して、この赤外線センサ２０による被加熱物Ｍの温度測定について説明する。被加熱物Ｍは、加熱室１１内に載置されているが、加熱開始時では被加熱部Ｍが加熱室底面のどの位置に載置されたかは不明である。そこで、赤外線センサ２０により得られる加熱室１１内の温度分布から、被加熱物Ｍの位置を割り出す。即ち、図９（ａ）に示すように、赤外線センサ２０は、一度に複数点（ｎ点）の温度を同時に検出しながら、赤外線センサ２０自体を揺動させることで、図中矢印方向にスキャンし、加熱室１１内を複数の測定点（スキャン方向にｍ点）に対する温度検出を行う。従って、１スキャンで、図９（ｂ）に示すｎ×ｍ点の測定点における温度検出を行うことができる。
【００５１】
図９（ｂ）に示した赤外線センサ２０の１スキャンにより測定された加熱室１１内の温度分布から明らかなように、通常、被加熱物Ｍが存在する場所の温度は、他の部分とは異なる温度が検出されるので、加熱室１１内における被加熱物Ｍの位置を検出できる。例えば、被加熱物Ｍが冷凍品の場合には、加熱室１１底面の温度に比べて低い温度が検出され、常温品の場合には、加熱に伴い底面より高い温度が検出される。
図１０に、赤外線センサ２０によるスキャンを連続的に複数回行ったときの図９（ｂ）におけるＬ線位置の温度分布を示した。図１０において、１スキャン幅内で温度が特に変化している温度分布のピーク位置は、図９（ｂ）におけるＬ線上の被加熱物Ｍの位置に対応する。従って、加熱室１１における被加熱物Ｍの位置は、この温度分布のピーク存在位置から求められる。そして、この被加熱物Ｍの位置に対応する温度を、加熱初期時或いは温度測定開始時まで遡って求め、被加熱物Ｍの初期温度を判定する。この初期温度が、所定温度以下の場合には被加熱物Ｍが冷凍品であると判定し、所定温度を超えている場合には常温品であると判定する。
【００５２】
初期温度の判定を完了したら、図１０における温度分布曲線のピーク同士を連結する線（図１０における点線）の勾配から被加熱物Ｍの温度上昇率ΔＴを求める。この温度上昇率ΔＴにより、被加熱物Ｍの分量を推定する。これは、図１１に示すように、同じ初期温度で重量の異なる２つの被加熱物Ｍ１、Ｍ２を同じ条件で加熱すると、その重量に応じて温度上昇率ΔＴが異なることを利用して分量を推定している。例えば、分量の少ない被加熱物Ｍ１を加熱した場合には温度上昇率がΔＴＬとなり、分量が多い被加熱物Ｍ２を加熱した場合には温度上昇率がΔＴＬより小さなΔＴＭとなる。
【００５３】
このようにして、被加熱物Ｍの初期温度の判定及び温度上昇率ΔＴから被加熱物Ｍの分量の推定を完了して被加熱物判別工程Ｐ２を終了する。ここで、被加熱物Ｍの分量が多いと判断された場合には、追加加湿工程Ｐ３を実行する（Ｓ４）。この追加加湿工程Ｐ３の加湿時間は、温度上昇率ΔＴに応じて設定する。例えばＫ１／ΔＴ（Ｋ１は定数）として求められる。また、ここでは、被加熱物Ｍの分量に応じた最大加熱時間の設定も行う。以降の加熱処理においては、加熱時間の合計が最大加熱時間を超過するとき、この加熱処理を強制的に終了させる制御を行う。これにより、過加熱を防止して装置の安全性を確保できる。
【００５４】
なお、追加加湿工程Ｐ３においては、循環ファン１７を回転し続けると被加熱物Ｍが循環風により冷却されることがあるため、循環ファン１７をＯＦＦに切り替える。また、高周波加熱は低出力状態を維持し、蒸気発生部１５も継続してＯＮとして加熱室１１に蒸気を供給する。このときの加熱室１１内は、蒸気密度が高い状態となるが、必要な温度測定は既に完了しているため、赤外線センサ２０による温度測定はこの時点では行わない。或いは、測定を行っても温度測定結果を制御に用いることはない。
以上の予熱工程Ｐ１、被加熱物判定工程Ｐ２、追加加湿工程Ｐ３を合わせて初期加湿工程と総称する。被加熱物Ｍが冷凍品である場合のように初期温度が低い場合や、被加熱物Ｍの分量が多い場合には、初期加湿工程の時間を長く設定すると以降の本加熱工程において水分が不足することがなくなる。また、初期加湿工程で、できるだけ多くの水分を被加熱体の表面に浸透させることで、加熱ムラを改善することができる。一方、被加熱物Ｍが常温品である場合や分量が少ない場合には、初期加湿工程の時間を短くすることで、無駄のない加湿を短時間で行うことができる。
【００５５】
追加加湿工程Ｐ３の終了後は、本加熱工程Ｐ４を開始する（Ｓ５）。本加熱工程Ｐ４では、循環ファン１７をＯＮに設定すると共に、蒸気発生部１５をＯＦＦに設定し、先に検出された被加熱物Ｍの分量に応じた高周波加熱の出力設定で高周波加熱を行う。例えば、被加熱物Ｍの分量が多かったり、冷凍品であると判定された場合には、高周波の出力を高め、強く加熱する。
このとき、高周波加熱の出力を高める設定としても、電力消費の多い蒸気発生部１５をＯＦＦに設定してあるため、高周波加熱の出力に装置の略最大出力までを利用することが可能となる。従って、加熱力を最大限に強めた加熱処理が行える。なお、本加熱工程Ｐ４では、加熱室１１へ蒸気が前段の加湿工程によって相当量供給されており、蒸気密度が不足することはない。
【００５６】
本加熱工程Ｐ４の進行につれ、蒸気供給が停止しているため加熱室１１内の蒸気密度は徐々に減少する傾向にあるが、一方で被加熱物Ｍから発生する蒸気により、必要量の蒸気は常に加熱室１１に存在することになる。そして、被加熱物Ｍが仕上がり温度に近くなる頃には、蒸気密度が赤外線センサ２０による測定可能範囲内に収まるので、赤外線センサ２０による温度測定結果を監視し始める。赤外線センサ２０が被加熱物Ｍの温度を測定して、所定の仕上がり温度まで加熱されていると検出したら、本加熱工程Ｐ４を終了する。このときに、被加熱物Ｍの温度ムラの検出も同時に行う。
【００５７】
ここで、被加熱物Ｍの温度ムラの検出について説明する。通常、高周波加熱では、被加熱物Ｍが冷凍品の場合や、被加熱物Ｍの分量が比較的多い場合や、大負荷で急激に加熱した場合等には、被加熱物Ｍに、中央部の温度よりも周縁部の温度の方が高くなる等の温度ムラが発生することがある。そこで、このときの被加熱物Ｍ周縁部の温度と、被加熱物Ｍ中央部の温度との差を求め、この温度差が所定の許容値よりも大きい場合には、温度ムラが大きいと判断する。
【００５８】
即ち、赤外線センサ２０で加熱室１１内の温度をスキャンした際に、図１２（ａ）に示すように、被加熱物Ｍの周縁部の温度が高く、中央部の温度が低い場合には温度ムラがあると判断する。一方、図１２（ｂ）に示すように、周縁部及び中央部が一様に加熱されて昇温している場合には、温度ムラがないと判断する。この温度ムラ判定で、被加熱物Ｍに温度ムラはないと判定された場合には追加加熱は行わない。一方、温度ムラがあると判定された場合には追加加熱を行う。
【００５９】
追加加熱が必要であると判定された場合には、追加加熱工程Ｐ５を行う（Ｓ６）。この追加加熱工程Ｐ５では、被加熱物Ｍの冷却を避けるために循環ファン１７をＯＦＦに設定すると共に、高周波加熱を低出力でＯＮに、且つ蒸気発生部１５をＯＮに設定して被加熱物Ｍを加湿して温度ムラをなくす。この追加加熱時間は、本加熱工程Ｐ４の加熱時間に比例して設定され、例えばＴ１・Ｋ２（ただしＫ２は定数）から求める。通常、被加熱物Ｍの分量が多い場合、被加熱物Ｍが冷凍品のように初期温度が低い場合、大負荷で急激に加熱した場合等には、より長い追加加熱工程Ｐ５を実施する。
【００６０】
追加加熱工程Ｐ５において所定時間追加加熱を行った後、あるいは追加加熱工程Ｐ５を要さない場合には、本加熱工程Ｐ４の終了後、加熱終了工程Ｐ６を行う（Ｓ７）。この加熱終了工程Ｐ６では、循環ファン１７、高周波加熱、蒸気発生部１５を全てＯＦＦに設定して、加熱処理を終了する。
【００６１】
このように、本実施形態の高周波加熱装置の加熱制御方法、及び高周波加熱装置によれば、蒸気が加熱室１１内に充満するまでの間に被加熱物Ｍの初期温度判定を完了させるので、赤外線センサ２０によって正確な初期温度の判定を行うことができる。また、蒸気が充満する前に温度上昇率の算出を行い、この温度上昇率から被加熱物Ｍの分量を推定するので、重量センサがなくても被加熱物Ｍの分量に基づいて自動で且つ加熱処理の強さを適正に設定することができる。
【００６２】
また、スチーム加熱の中心である本加熱工程Ｐ４では、蒸気発生部１５をＯＦＦに設定して、蒸気が加熱室１１に供給されないようにしているので、蒸気濃度が徐々に減少し、加熱処理中でも赤外線センサ２０により被加熱物Ｍの温度測定を行うことが可能となる。これにより、仕上がり検知を正確に行うことができる。また、装置の略最大出力までを高周波加熱に費やすことができ、出力レンジ幅が広く、自由度の高い加熱処理が行える。なお、本加熱工程Ｐ４では、加熱室１１内の蒸気は必要量存在しているので、被加熱物Ｍの水分が過剰に蒸発することはない。
【００６３】
また、被加熱物Ｍの初期温度により冷凍品か否か等を判断し、温度上昇率により被加熱物Ｍの分量を推定して、追加加湿工程Ｐ３及び追加加熱工程Ｐ５の必要の有無を判断し、必要な場合はその実行時間も設定する。このため、被加熱物Ｍをラップで包まなくても、表面の乾燥や硬化を防止でき、また温度ムラの発生を抑制することができ、ラップレスであっても被加熱物Ｍを良好な出来映えに加熱処理することができる。また、冷凍品あるいは常温品の区別なく、適正な加熱処理を自動で行うことができる。
【００６４】
また、高周波本加熱時の加熱時間に対応して蒸気の追加供給時間を決定するので、加熱時間が長い場合には、蒸気の追加供給時間を長くして、加熱条件に応じた適度な加湿を行うことができる。そして、蒸気の追加供給を行う際に、高周波による低出力加熱を併せて行うので、被加熱物の内部からも加熱することができ、温度ムラをなくすことができる。
【００６５】
次に、本高周波加熱装置の赤外線センサ２０による温度測定を、データベースに予め登録された時間内に行うように制御する第２実施形態を説明する。
本実施形態においては、前述した第１実施形態における加熱初期の温度測定を、規定の時間内に行うように制御する。加熱室内に蒸気が所定濃度以上に充満すると赤外線センサ２０による被加熱物の温度測定が実質的に行えなくなる。このときの、蒸気発生時から温度測定不能になるまでの時間（温度測定限界時間）は、加熱室１１の容積、蒸発皿３５への水の供給量、蒸発皿加熱ヒータ３７の出力等の条件によって変化する。そこで、これらの条件によって温度測定不能になるまでの時間を予め実験的に割り出しておき、その情報をデータベースとして記憶部５０５に保存しておく。そして、実際の加熱処理時において、加熱条件に応じた前記時間を、保存されたデータベースの情報から求め、この時間までの間に赤外線センサ２０による温度測定を完了させるようにする。
【００６６】
このように指定された時間内に温度測定を行うことで、被加熱物の温度を加熱室内の蒸気の影響を受けることなく、確実かつ正確に測定することが可能となる。
以下に、具体的なデータベースの内容を一例として説明するが、本発明はこの方法に限定されるものではない。
図１３は加熱室１１の容量と蒸発皿の水の量との関係から１つのテーブルが選択されるルックアップテーブルを示す説明図であり、図１４は選択されたテーブルの内容を示す説明図である。
図１３に示すように、加熱室１１の容積を任意の幅をもってランク分け（Ａ，Ｂ，Ｃ，Ｄ，Ｅ，…）すると共に、蒸発皿の水の量を複数段階にレベル分け（１，２，３，４，５，…）する。そして、加熱室容量の各ランク毎に、それぞれ複数段階にレベル分けしたテーブル（Ａ−１〜Ｆ−５等）を用意する。
【００６７】
これら各テーブルには、予め実験等により求めた蒸気発生量の特性を入力しておく。即ち、図１４に示すように、例えば蒸発皿加熱ヒータ３７の出力を３００［Ｗ］，４５０［Ｗ］，６００［Ｗ］等の任意の設定値として、出力設定値毎に求めた蒸気発生量の経過時間に対する変化を求め、これらを登録しておく。登録内容には、赤外線センサの温度検出限界に達するまでの時間ｔ１，ｔ２，ｔ３も含まれる。
【００６８】
いま、加熱室１１の容積が３０［ｌ］、蒸発皿の水の量が４５［ｍｌ］、蒸発皿加熱ヒータ３７の出力が４５０Ｗであると仮定する。この場合には、図１３に示すルックアップテーブルのＥ−４が選択され、図１４に示すＥ−４のテーブルが参照される。図１４に示すように、Ｅ−４の蒸気発生特性によれば、蒸発皿加熱ヒータが４５０Ｗの場合、赤外線センサ２０の温度検出限界に、加熱開始後の時間ｔ２経過後に到達する。そのため、この条件の場合は、図７に示す被加熱物判定工程Ｐ２の終了時点を時間ｔ２の経過時、或いは時間ｔ２以内に設定する加熱制御を行こととする。これにより、加熱条件が変化しても被加熱物の温度測定が一層正確に行え、また、温度検出限界までの時間が単純なテーブル参照処理により設定できるので、制御部の計算負担が軽減されると共に迅速な設定が可能となる。
【００６９】
また、上記以外にも、例えば加熱室容量、蒸発皿の水量、蒸発皿加熱ヒータの出力等の種々の条件をパラメータとして、予め数式を設定しておき、この数式に基づいて、実際の加熱処理時における赤外線センサ２０による温度測定時間を決定するものであってもよい。この場合には、データベースの容量を少なく抑えることができる。
【００７０】
さらに、本実施形態においては、前述した第１実施形態における加熱途中で、加熱室１１内の蒸気濃度が赤外線センサ２０の温度検出可能範囲を超えたときに、規定の調整時間の間、加熱室１１内の空気を積極的に循環又は入れ替えを行ったり、或いはそのままの状態にして、蒸気濃度が温度検出可能範囲内に低下した後、温度測定を行うように制御する。
【００７１】
加熱室内に蒸気が所定濃度以上に充満すると、赤外線センサ２０による被加熱物の温度測定が実質的に行えなくなる。そこで、このときの加熱室内の空気を循環又は入れ替えを行ったり、そのままの状態にして加熱室１１内の蒸気濃度を温度検出可能範囲にまで低下させる。これに必要な調整時間は、空気の循環又は入れ替えのための風量等、加熱室１１内の条件に応じて変化する。そのため、これらの条件によって変化する温度測定可能になるまでの調整時間を予め実験的に求めて、その情報をデータベースとして記憶部５０５にそれぞれ保存しておく。そして、実際の加熱処理時において、各条件に応じた調整時間を、保存されたデータベースの情報から求め、この調整時間の間は赤外線センサ２０による温度測定を停止或いは測定結果を無効として、調整時間の後に温度測定を行うようにする。これにより、被加熱物の温度を加熱室内の蒸気の影響を受けることなく、確実かつ正確に測定することができる。
【００７２】
なお、本発明の高周波加熱装置の加熱制御方法、及び高周波加熱装置は、前述した実施形態に限定されるものでなく、適宜な変形、改良等が可能である。
【００７３】
【発明の効果】
以上、説明したように、本発明に係る高周波加熱装置の加熱制御方法、及び高周波加熱装置によれば、加熱室内の蒸気が充満するまでの間に、被加熱物の温度を赤外線センサにより測定するので、蒸気の影響を受けることなく被加熱物の温度を正確に求めることができる。また、高周波本加熱の際に、加熱室への蒸気の供給を停止するので、加熱室内の蒸気濃度が必要以上に増大することを抑制して、高周波本加熱時においても赤外線センサによる被加熱物の温度検出を可能にできる。また、赤外線センサにより得られた初期温度及び温度上昇率を基に、加熱の強弱や追加加熱等を任意に設定するので、被加熱物を特にラップ等で包まなくても、表面の乾燥や硬化を防止し、温度ムラをも防止することができる。
【図面の簡単な説明】
【図１】本発明に係る高周波加熱装置の開閉扉を開けた状態を示す正面図である。
【図２】蒸気発生部の蒸発皿を示す斜視図である。
【図３】蒸気発生部の蒸発皿加熱ヒータと反射板を示す斜視図である。
【図４】蒸気発生部の断面図である。
【図５】蒸気発生機能付き高周波加熱装置を制御するための制御系のブロック構成図である。
【図６】本発明に係る高周波加熱装置の加熱制御方法のフローチャートである。
【図７】本発明に係る高周波加熱装置の加熱制御方法における各部位の制御状態を示すタイムチャートである。
【図８】加熱時における高周波加熱装置内部の状態を示す断面図である。
【図９】（ａ）は赤外線センサによる被加熱物の温度測定の状態を示す斜視図であり、（ｂ）は温度測定の結果を示すグラフである。
【図１０】赤外線センサによるスキャンを連続的に行ったときの図９（ｂ）におけるＬ線位置の温度分布を示すグラフである。
【図１１】分量の違いによる加熱時間と測定温度との関係を示すグラフである。
【図１２】赤外線センサにより検出された測定温度を示すグラフであり、（ａ）は温度ムラがある場合、（ｂ）は均一に加熱された場合を示す。
【図１３】加熱室の容量と蒸発皿の水の量との関係から１つのテーブルが選択されるルックアップテーブルを示す説明図である。
【図１４】選択されたテーブルの内容を示す説明図である。
【符号の説明】
１１　加熱室
１３　高周波発生部
１５　蒸気発生部
１７　循環ファン
２０　赤外線センサ
２０ａ　検出用孔
１００　高周波加熱装置
５０１　制御部
Ｍ　被加熱物
ΔＴ　温度上昇率
【図１】
2004011994.tif 000003
【図２】
2004011994.tif 000004
【図３】
2004011994.tif 000005
【図４】
2004011994.tif 000006
【図５】
2004011994.tif 000007
【図６】
2004011994.tif 000008
【図７】
2004011994.tif 000009
【図８】
2004011994.tif 000010
【図９】
2004011994.tif 000011
【図１０】
2004011994.tif 000012
【図１１】
2004011994.tif 000013
【図１２】
2004011994.tif 000014
【図１３】
2004011994.tif 000015
【図１４】
2004011994.tif 000016